(57)【要約】【課題】実際のアドレスを通信相手に知らせることなく、当該通信相手のアクセスを有効とする中継サーバを提供する。【解決手段】中継サーバ３は、対象端末３１，３２，３３のアドレスと、操作ＰＣ１１，１２のアドレスと、を記憶する。中継サーバ３は、中継サーバ１とルーティング対象アドレスを交換し、ルーティングセッションを確立する。中継サーバ３は、仮想アドレスを電子メールで操作ＰＣ１１へ送信する。中継サーバ３は、中継サーバ１とともに、仮想アドレスを利用して、対象端末３１，３２，３３と操作ＰＣ１１，１２との通信を中継する。【選択図】図１７
2013141058.tif 000002
【特許請求の範囲】
【請求項１】
第１ＬＡＮ内に位置しパケットを転送可能な第１ルーティング対象装置のアドレスである第１ルーティング対象アドレスと、第２ＬＡＮ内に位置する第２中継サーバがパケットを転送可能な第２ルーティング対象装置のアドレスである第２ルーティング対象アドレスと、を記憶するアドレスフィルタ情報記憶部と、
制御部と、を備え、
前記制御部は、
前記第２中継サーバへ前記第１ルーティング対象アドレスを送信するとともに、前記第２中継サーバから前記第２ルーティング対象アドレスを受信し、前記第２中継サーバとルーティングセッションを確立する制御と、
前記第１ルーティング対象アドレスに割り当てられた仮想アドレスを電子メールで前記第２ルーティング対象装置へ送信する制御と、
前記仮想アドレスから前記第１ルーティング対象アドレスへの変換、又は、前記第１ルーティング対象アドレスから前記仮想アドレスへの変換を行う前記第２中継サーバとともに、前記第１ルーティング対象装置と前記第２ルーティング対象装置との通信を中継する制御と、
を行うことを特徴とする中継サーバ。
【請求項２】
請求項１に記載の中継サーバであって、
前記第１ルーティング対象アドレスに割り当てられた前記仮想アドレスには有効期限を設定可能であり、
前記有効期限を過ぎた前記仮想アドレスでは前記第１ルーティング対象装置へアクセスできないことを特徴とする中継サーバ。
【請求項３】
請求項１又は２に記載の中継サーバであって、
１つの前記第１ルーティング対象アドレスに複数の前記仮想アドレスが割り当てられ、
前記制御部が前記第２ルーティング対象装置へ電子メールで送信する前記仮想アドレスは、前記第２ルーティング対象装置毎又はユーザ毎に異なることを特徴とする中継サーバ。
【請求項４】
第１中継サーバ及び第２中継サーバを含んで構成される中継通信システムにおいて、
第１ＬＡＮに位置する前記第１中継サーバは、
当該第１中継サーバがパケットを転送可能な第１ルーティング対象装置のアドレスである第１ルーティング対象アドレスと、第２ＬＡＮ内に位置する前記第２中継サーバがパケットを転送可能な第２ルーティング対象装置のアドレスである第２ルーティング対象アドレスと、を記憶するアドレスフィルタ情報記憶部と、
前記第２中継サーバへ前記第１ルーティング対象アドレスを送信するとともに、前記第２中継サーバから前記第２ルーティング対象アドレスを受信し、前記第２中継サーバとルーティングセッションを確立する制御、及び、前記第１ルーティング対象アドレスに割り当てられた仮想アドレスを電子メールで前記第２ルーティング対象装置へ送信する制御を行う制御部と、を備え、
前記第２中継サーバは、
前記第２ルーティング対象装置から前記仮想アドレスを宛先とするパケットを受信した際に、パケットの宛先アドレスを、当該仮想アドレスに対応する前記第１ルーティング対象アドレスに変換して前記ルーティングセッションへパケットを転送する制御と、
前記ルーティングセッションから前記第２ルーティング対象アドレスを宛先とするパケットを受信した際に、パケットの送信元アドレスを、前記第２ルーティング対象アドレスに割り当てられた前記仮想アドレスに変換して宛先の前記第２ルーティング対象装置へパケットを転送する制御と、
を行うことを特徴とする中継通信システム。
【発明の詳細な説明】
【技術分野】
【０００１】
本発明は、主として、異なるＬＡＮ（Ｌｏｃａｌ  Ａｒｅａ  Ｎｅｔｗｏｒｋ）に接続されている機器間の通信を可能とする中継サーバに関する。
【背景技術】
【０００２】
従来から、物理的に離れた場所に設置されたＬＡＮ同士で通信を行う仮想プライベートネットワーク（Ｖｉｒｔｕａｌ  Ｐｒｉｖａｔｅ  Ｎｅｔｗｏｒｋ，ＶＰＮ）と呼ばれる通信技術が知られている。特許文献１に示す例では、物理的に離れた位置に設置された複数のＬＡＮのそれぞれに中継サーバ及び通信端末等が接続されている。通信端末は、このＶＰＮを利用して、他のＬＡＮに接続された通信端末へパケットを送信することができる。具体的には、通信端末が送信するパケットは、初めに同一ＬＡＮ内の中継サーバへ送られる。この中継サーバは、インターネットを介して、宛先の通信端末と同一のＬＡＮ内の中継サーバへパケットを送信（転送）する。そして、このパケットを受信した中継サーバは、宛先の通信端末へパケットを送信（転送）する。
【０００３】
このＶＰＮを利用することにより、遠隔地にある他のＬＡＮを、あたかも直接接続されているネットワークであるかのように使用することができる。なお、ＶＰＮの利用形態としては、例えば、リモートデスクトップを利用して他のＬＡＮの通信端末を操作する構成、及び、ブラウザを利用して他のＬＡＮの通信端末（サーバ）の内容を閲覧する構成等が考えられる。
【先行技術文献】
【特許文献】
【０００４】
【特許文献１】特開２０１０−２６８３１２号公報
【発明の概要】
【発明が解決しようとする課題】
【０００５】
ところで、この種のシステムにおいては、ＬＡＮに接続された端末のプライベートＩＰアドレス（以下、単にアドレスと称することがある）を用いて端末同士の通信を行っている。従って、ＶＰＮを利用した通信を行う場合、自分のＬＡＮに設定されたアドレスを相手側のＬＡＮへ送信する必要がある。
【０００６】
この点、例えば同一企業同士でＶＰＮを構築する場合、相手にアドレスを知られても問題にはなりにくい。しかし、異なる企業同士でＶＰＮを構築する場合、セキュリティ上の観点から、相手にアドレスを知られることは好ましくない。従って、ＬＡＮに接続された端末に付与されているアドレスを他のＬＡＮ側に知られることなくＶＰＮを運用できる構成が望まれていた。
【０００７】
本発明は以上の事情に鑑みてされたものであり、その目的は、実際のアドレスを通信相手に知らせることなく、当該通信相手のアクセスを有効とする中継サーバを提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の中継サーバが提供される。即ち、この中継サーバは、アドレスフィルタ情報記憶部と、制御部と、を備える。前記アドレスフィルタ情報記憶部は、第１ＬＡＮ内に位置し（中継サーバが）パケットを転送可能な第１ルーティング対象装置のアドレスである第１ルーティング対象アドレスと、第２ＬＡＮ内に位置する第２中継サーバがパケットを転送可能な第２ルーティング対象装置のアドレスである第２ルーティング対象アドレスと、を記憶する。前記制御部は、前記第２中継サーバへ前記第１ルーティング対象アドレスを送信するとともに、前記第２中継サーバから前記第２ルーティング対象アドレスを受信し、前記第２中継サーバとルーティングセッションを確立する。前記制御部は、前記第１ルーティング対象アドレスに割り当てられた仮想アドレスを電子メールで前記第２ルーティング対象装置へ送信する。前記制御部は、前記仮想アドレスから前記第１ルーティング対象アドレスへの変換、又は、前記第１ルーティング対象アドレスから前記仮想アドレスへの変換を行う前記第２中継サーバとともに、前記第１ルーティング対象装置と前記第２ルーティング対象装置との通信を中継する。
【００１０】
これにより、第２ルーティング対象装置を操作するユーザは、電子メールで送られてきた仮想アドレスを利用することで、第１ルーティング対象装置へアクセスすることができる。従って、第１ルーティング対象装置の実際のアドレスを第２ルーティング対象装置へ知らせることなく、第１，第２ルーティング対象装置同士で通信を行うことができる。また、第１ルーティング対象装置のアドレスを変更した場合であっても、第２中継サーバが記憶する仮想アドレスの割当関係を変更するだけで、通信を継続することができる。また、電子メールを用いるため、簡単な構成で、所定の第２ルーティング対象装置へのみ仮想アドレスを送信できる。
【００１１】
前記の中継サーバにおいては、以下の構成とすることが好ましい。即ち、前記第１ルーティング対象アドレスに割り当てられた前記仮想アドレスには有効期限を設定可能である。また、前記有効期限を過ぎた前記仮想アドレスでは前記第１ルーティング対象装置へアクセスできない。
【００１２】
これにより、第１ルーティング対象装置に接続可能な状況がいつまでも続くことを防止できるので、セキュリティを向上させることができる。また、本発明は電子メールで仮想アドレスを通知する構成であるので、仮に電子メールが傍受された場合、不正なアクセスが行われる可能性がある。この点、上記の構成は、有効期限が設定されているため、この不正なアクセスを防止することができる。
【００１３】
前記の中継サーバにおいては、以下の構成とすることが好ましい。即ち、１つの前記第１ルーティング対象アドレスに複数の前記仮想アドレスが割り当てられる。前記制御部が前記第２ルーティング対象装置へ電子メールで送信する前記仮想アドレスは、前記第２ルーティング対象装置毎又はユーザ毎に異なる。
【００１４】
これにより、例えば制御部が第２ルーティング対象装置毎に異なる仮想アドレスを送信する場合は、第２ルーティング対象装置毎に第１ルーティング対象装置へのアクセスを制限できる。一方、制御部がユーザ毎に異なる仮想アドレスを送信する場合は、ユーザ毎に第１ルーティング対象装置へのアクセスを制限できる。
【００１５】
本発明の第２の観点によれば、以下の構成の中継通信システムが提供される。即ち、この中継通信システムは、第１中継サーバ及び第２中継サーバを含んで構成される。第１ＬＡＮに位置する前記第１中継サーバは、アドレスフィルタ情報記憶部と、制御部と、を備える。前記アドレスフィルタ情報記憶部は、当該第１中継サーバがパケットを転送可能な第１ルーティング対象装置のアドレスである第１ルーティング対象アドレスと、第２ＬＡＮ内に位置する前記第２中継サーバがパケットを転送可能な第２ルーティング対象装置のアドレスである第２ルーティング対象アドレスと、を記憶する。前記制御部は、前記第２中継サーバへ前記第１ルーティング対象アドレスを送信するとともに、前記第２中継サーバから前記第２ルーティング対象アドレスを受信し、前記第２中継サーバとルーティングセッションを確立する制御、及び、前記第１ルーティング対象アドレスに割り当てられた仮想アドレスを電子メールで前記第２ルーティング対象装置へ送信する制御を行う。前記第２中継サーバは、前記第２ルーティング対象装置から前記仮想アドレスを宛先とするパケットを受信した際に、パケットの宛先アドレスを、当該仮想アドレスに対応する前記第１ルーティング対象アドレスに変換して前記ルーティングセッションへパケットを転送する。前記第２中継サーバは、前記ルーティングセッションから前記第２ルーティング対象アドレスを宛先とするパケットを受信した際に、パケットの送信元アドレスを、前記第２ルーティング対象アドレスに割り当てられた前記仮想アドレスに変換して宛先の前記第２ルーティング対象装置へパケットを転送する。
【００１６】
これにより、実際のアドレスを第２ルーティング対象装置へ知らせることなく、第１，第２ルーティング対象装置同士で通信を行うことができる。また、第１ルーティング対象装置のアドレスを変更した場合であっても、第２中継サーバが記憶する仮想アドレスの割当関係を変更するだけで、適切に通信を継続することができる。
【図面の簡単な説明】
【００１７】
【図１】本発明の一実施形態に係る中継通信システムの全体構成を示す説明図。
【図２】中継サーバの機能ブロック図。
【図３】中継グループ情報の内容を示す図。
【図４】中継サーバ情報の内容を示す図。
【図５】クライアント端末情報の内容を示す図。
【図６】ＶＰＮグループ情報の内容を示す図。
【図７】それぞれの中継サーバに予め登録されるアドレスフィルタ情報の内容を示す図。
【図８】ＶＰＮの構築後に中継サーバ１，３が記憶するアドレスフィルタ情報及び仮想アドレスを示す図。
【図９】中継サーバ１の仮想アドレス登録情報の内容を示す図。
【図１０】中継サーバ１の仮想アドレス期限情報の内容を示す図。
【図１１】予め中継サーバに行う設定を示すフローチャート。
【図１２】ＶＰＮグループを作成する処理を示すフローチャート。
【図１３】ＶＰＮを構築する処理を示すフローチャート。
【図１４】ＶＰＮを構築する処理を示すフローチャート。
【図１５】ＬＡＮからパケットを受信したときに中継サーバが行うルーティング制御を示すフローチャート。
【図１６】ルーティングセッションからパケットを受信したときに中継サーバが行うルーティング制御を示すフローチャート。
【図１７】仮想アドレスを知らせた後に当該仮想アドレスを用いて通信を行うときの状況を示す説明図。
【図１８】変形例に係るユーザ毎に仮想アドレスを異ならせる構成を説明する図。
【発明を実施するための形態】
【００１８】
次に、図面を参照して本発明の実施の形態を説明する。初めに、図１を参照して、本実施形態の中継通信システム１００の概要について説明する。図１は、本実施形態に係る中継通信システム１００の全体構成を示す説明図である。
【００１９】
図１に示すように、この中継通信システム１００は、Ｗｉｄｅ  Ａｒｅａ  Ｎｅｔｗｏｒｋ（ＷＡＮ、広域通信網）８０に接続された複数のＬＡＮ１０，２０，３０で構成されている。それぞれのＬＡＮ１０，２０，３０は、限定された場所で構築される比較的小規模なネットワークである。また、ＬＡＮ１０，２０，３０は、それぞれが物理的に離れた場所に配置されている。なお、本実施形態ではＷＡＮ８０としてインターネットが使用されている。
【００２０】
以下、それぞれのＬＡＮを具体的に説明する。図１に示すように、ＬＡＮ（第２ＬＡＮ）１０には、中継サーバ（第２中継サーバ）１と、第２ルーティング対象装置としての操作ＰＣ１１，１２と、クライアント端末１３と、が接続されている。ＬＡＮ２０には、中継サーバ２と、操作ＰＣ２１と、クライアント端末２２と、が接続されている。ＬＡＮ（第１ＬＡＮ）３０には、中継サーバ（第１中継サーバ）３と、第１ルーティング対象装置としての対象端末３１，３２，３３と、クライアント端末３４と、が接続されている。
【００２１】
それぞれの中継サーバ１，２，３は、ＬＡＮ１０，２０，３０だけでなくＷＡＮ８０にも接続されているため、同一のＬＡＮに接続された機器と通信可能であるだけでなく、他のＬＡＮに配置された中継サーバとも通信可能となっている。操作ＰＣ１１，１２，２１は、例えばオペレータが操作するためのパーソナルコンピュータである。対象端末３１，３２，３３は、パーソナルコンピュータ、又は、ファイルサーバ等であり、例えばオペレータは、操作ＰＣ１１等を操作して、対象端末３１等に所定のデータを要求すること、及び、対象端末３１の記憶内容を更新することが想定されている。クライアント端末１３，２２，３４は、例えばパーソナルコンピュータで構成されており、それぞれ自身が所属する中継サーバ１，２，３を介して、互いに通信可能である。
【００２２】
次に、図２を参照して、中継サーバ１，２，３の詳細な構成について説明する。図２は、中継サーバ３の機能ブロック図である。なお、中継サーバ３は中継サーバ１，２と略同じ構成であるので、以下では、主として中継サーバ３について説明する。
【００２３】
図２に示すように、中継サーバ３は、記憶部５０と、制御部６０と、インタフェース部７０と、を備えている。
【００２４】
インタフェース部７０は、ＬＡＮ１０内の端末に対して通信を実行する。また、インタフェース部７０は、ＷＡＮ８０に対して通信を実行する。インタフェース部７０は、ＬＡＮ３０又はＷＡＮ８０から受信したパケットに適宜の処理を行って制御部６０へ出力する。
【００２５】
制御部６０は、例えば制御及び演算の機能を有するＣＰＵであり、記憶部５０から読み出したプログラムにより各種の処理を実行可能である。この制御部６０は、ＴＣＰ／ＩＰ、ＵＤＰ、ＳＩＰ等のプロトコルに従った様々な通信を制御することができる。具体的には、制御部６０は、受信したパケットについて、当該パケットが示す情報と記憶部５０に記憶された情報とに基づいて宛先を決定し、決定した宛先へ当該パケットを送信する。また、制御部６０は、他の端末から受信した情報に基づいて、記憶部５０の記憶内容を更新することができる。
【００２６】
記憶部５０は、例えばハードディスク又は不揮発性ＲＡＭで構成されており、各種データを保存可能である。記憶部５０は、中継グループ情報記憶部５１と、中継サーバ情報記憶部５２と、クライアント端末情報記憶部５３と、ＶＰＮグループ情報記憶部５４と、アドレスフィルタ情報記憶部５５と、仮想アドレス登録情報記憶部５６と、仮想アドレス割当情報記憶部５７と、を備えている。以下、図３から図１０までを参照して、記憶部５０の記憶内容について説明する。図３から図１０までは、中継サーバ１等の記憶部５０の記憶内容を示す図である。
【００２７】
中継グループ情報記憶部５１は、中継グループと、当該中継グループを構成する中継サーバと、を示した中継グループ情報を記憶している。
【００２８】
図３に示すように、中継グループ情報においては、ｇｒｏｕｐタグと、このｇｒｏｕｐタグを親要素とする子要素のｓｉｔｅタグと、が記述されている。ｇｒｏｕｐタグには中継グループに関するグループ情報５１１が記述されている。このグループ情報５１１としては、中継グループの識別情報（「ｉｄ」）と、最終更新時刻（「ｌａｓｔｍｏｄ」）と、中継グループの名称（「ｎａｍｅ」）と、が記述されている。ｓｉｔｅタグには、中継グループを構成する中継サーバに関するグループ構成情報５１２が記述されている。このグループ構成情報５１２には、当該中継サーバの識別情報（「ｉｄ」）が記述されている。また、中継グループは追加作成が可能であり、その場合、新しい中継グループには、他の中継グループと異なる一意の識別情報が付与される。これにより、特定の中継グループ内だけでデータのやり取りを行う等の設定が可能になっている。
【００２９】
なお、この中継グループ情報は、当該中継グループを構成する中継サーバ１，２，３の間で共有されている。そして、ある中継サーバにおいて中継グループを変更する処理が行われた場合は、他の中継サーバに対してその旨が送信されて中継グループ情報が更新される。このようにして、中継グループ情報が動的に共有される。
【００３０】
中継サーバ情報記憶部５２は、中継通信を行う中継サーバ及び当該中継サーバに所属するクライアント端末の概要を示す中継サーバ情報を記憶している。
【００３１】
図４に示す中継サーバ情報においては、中継サーバ毎に記述されるｓｉｔｅタグと、前記ｓｉｔｅタグを親要素とする子要素のｎｏｄｅタグと、が記述されている。ｓｉｔｅタグには中継サーバ１に関するサーバ情報５２１が記述されている。このサーバ情報５２１としては、中継サーバの識別情報（「ｉｄ」）と、中継サーバの名称（「ｎａｍｅ」）と、起動情報（「ｓｔａｔ」）と、が記述されている。なお、「ｓｔａｔ」の内容が「ａｃｔｉｖｅ」の場合は中継サーバが中継通信システム１００にログインしていることを示し、ｓｔａｔが空欄であるときはログオフ中であることを示す。ｓｉｔｅタグの子要素であるｎｏｄｅタグには、中継サーバに所属するクライアント端末を示す所属情報５２２が記述されている。所属情報５２２としては、所属する中継グループの名称（「ｇｒｏｕｐ」）と、クライアント端末の識別情報（「ｉｄ」）と、クライアント端末の名称（「ｎａｍｅ」）と、所属先の中継サーバの識別情報（「ｓｉｔｅ」）と、が記述されている。なお、クライアント端末が中継通信システム１００にログインしていないときは、「ｓｉｔｅ」は空欄となる。
【００３２】
なお、中継グループによる通信は、上記の中継グループ情報及び中継サーバ情報に基づいて、以下のようにして行われる。例えばクライアント端末１３からクライアント端末２２にパケットを送信する場合、初めに、クライアント端末１３は、自身が接続している中継サーバである中継サーバ１にパケットを送信する。なお、パケットのやり取りが可能な中継サーバは上記の中継グループ情報に基づいて把握することができ、中継サーバに所属しているクライアント端末の識別情報及び接続の可否は上記の中継サーバ情報に基づいて把握することができる。中継サーバ１は、これらの情報に基づいて、クライアント端末２２が接続している中継サーバである中継サーバ２へパケットを転送する。そして、このパケットを受信した中継サーバ２がクライアント端末２２へパケットを転送する。このようにして、クライアント端末１３，２２同士で中継通信を行うことができる。
【００３３】
この中継サーバ情報に関しても中継グループ情報と同様に、当該中継グループを構成する中継サーバ１，２，３の間で情報が共有されている。そして、ある中継サーバにおいて中継サーバ情報を変更する処理が行われた場合は、他の中継サーバに対してその旨が送信されて中継サーバ情報が更新される。このようにして、中継サーバ情報が動的に共有される。
【００３４】
クライアント端末情報記憶部５３は、クライアント端末に関する詳細な情報であるクライアント端末情報を記憶している。なお、中継サーバ１，２，３は、自身に所属するクライアント端末に関するクライアント端末情報のみを記憶している。中継サーバ３には、クライアント端末３４が所属しているため、中継サーバ３が備えるクライアント端末情報記憶部５３には、クライアント端末３４についてのクライアント端末情報のみが記憶されている。
【００３５】
中継サーバ３のクライアント端末情報記憶部５３が記憶するクライアント端末情報は、図５（ｃ）に示されている。同様に、中継サーバ１が記憶するクライアント端末情報が図５（ａ）に、中継サーバ２が記憶するクライアント端末情報が図５（ｂ）に、それぞれ示されている。
【００３６】
図５に示すクライアント端末情報においては、ｎｏｄｅタグが記述されている。このｎｏｄｅタグには、クライアント端末のプライベートＩＰアドレス（「ａｄｄｒ」）と、所属する中継グループの名称（「ｇｒｏｕｐ」）と、識別情報（「ｉｄ」）と、名称（「ｎａｍｅ」）と、中継サーバにログインするためのパスワード（「ｐａｓｓ」）と、ポート情報（「ｐｏｒｔ」）と、が記述されている。
【００３７】
ＶＰＮグループ情報記憶部５４は、中継グループを構成する中継サーバ及びクライアント端末からルーティングポイントとして選択された機器（以下、ルーティング機器と称する）で構成されたＶＰＮグループに関する情報であるＶＰＮグループ情報を記憶している。同一のＶＰＮグループに所属するルーティング機器同士でルーティングセッションを確立させることにより、ＶＰＮを利用した通信を開始することができる。
【００３８】
図６に示すＶＰＮグループ情報においては、ｖｎｅｔタグが記述されている。このｖｎｅｔタグには、ＶＰＮグループ基本情報５４１と、ルーティングポイント情報５４２と、ルーティングセッション情報５４３と、が記述されている。ＶＰＮグループ基本情報５４１には、ＶＰＮグループが所属する中継グループの名称（「ｇｒｏｕｐ」）と、ＶＰＮグループの識別情報（「ｉｄ」）と、最終更新時刻（「ｌａｓｔｍｏｄ」）と、ＶＰＮグループの名称（「ｎａｍｅ」）と、が記述されている。ルーティングポイント情報５４２には、ＶＰＮグループ間で通信を行うときにルーティングを行うルーティング機器の識別情報が記述されている。図６の例においては、ルーティング機器として、中継サーバ１と、中継サーバ３と、が記述されている。ルーティングセッション情報５４３には、ＶＰＮグループにおいて互いに接続されるルーティング機器が記述されている。ルーティングセッション情報５４３において、ルーティング機器は、ＶＰＮグループでＶＰＮを構築して通信を開始するためのルーティングセッション確立処理において、通信制御を最初に行う側（「ｓｐ（ｓｔａｒｔ  ｐｏｉｎｔ）」）と、その通信制御を受ける側（「ｅｐ（ｅｎｄ  ｐｏｉｎｔ）」）と、に分けて定められている。なお、以下の説明では、ルーティングセッション確立のための通信制御を最初に行う側のルーティング機器を「始点」と、その通信制御を受ける側のルーティング機器を「終点」と、それぞれ称することがある。
【００３９】
図６に示すＶＰＮグループ情報からは、ＶＰＮグループ（ＶＰＮ−ＧＲＯＵＰ１）が、中継サーバ１と中継サーバ３とで構成されることが分かる。また、このＶＰＮグループの開始時には、中継サーバ３から中継サーバ１へルーティングセッションを確立するための通信制御が行われることが分かる。
【００４０】
このＶＰＮグループ情報も中継サーバ情報及び中継グループ情報と同様に、同じＶＰＮグループに所属する中継サーバ１，３の間で共有されている。そして、ある中継サーバにおいてＶＰＮグループ情報を変更する処理が行われた場合は、同じＶＰＮグループに所属する他の中継サーバに対してその旨が送信されてＶＰＮグループ情報が更新される。このようにして、ＶＰＮグループ情報が動的に共有される。なお、このＶＰＮグループを作成する処理については後述する。
【００４１】
アドレスフィルタ情報記憶部５５は、ＶＰＮを利用したルーティング制御を行う際に用いられる情報であるアドレスフィルタ情報を記憶する。アドレスフィルタ情報記憶部５５は、ＶＰＮの構築前においては、中継サーバ３自身がパケットを直接的に送信可能な装置（ルーティング対象装置）を示す情報（中継サーバ３のアドレスフィルタ情報）を記憶する。なお、アドレスフィルタ情報には、ルーティング対象装置のアドレス（ルーティング対象アドレス）と、ルーティング対象装置の名称と、が含まれる。
【００４２】
図７（ｃ）には、中継サーバ３自身に予め登録されたアドレスフィルタ情報の例が示されている。この例では、中継サーバ３がパケットを直接的に送信可能な機器が対象端末３１，３２，３３であることが記述されている。なお、図７（ａ）には、中継サーバ１に予め登録されたアドレスフィルタ情報が示され、図７（ｂ）には、中継サーバ２に予め登録されたアドレスフィルタ情報が示されている。
【００４３】
上述のように、中継サーバ３のアドレスフィルタ情報記憶部５５は、ＶＰＮを構築する前においては、図７（ｃ）に示すアドレスフィルタ情報のみを記憶する。そして、中継サーバ３は、例えば中継サーバ１とルーティングセッションを確立させるときに、自身に予め登録されたアドレスフィルタ情報（図７（ｃ））を中継サーバ１へ送信するとともに、中継サーバ１からアドレスフィルタ情報（図７（ａ））を受信する。そして、中継サーバ３は、中継サーバ１のアドレスフィルタ情報を当該中継サーバ１の識別情報と対応付けてアドレスフィルタ情報記憶部５５に記憶する。
【００４４】
これにより、中継サーバ３のアドレスフィルタ情報記憶部５５には、図８（ｂ）に示す内容が記憶されることになる。同様に、中継サーバ１のアドレスフィルタ情報記憶部５５にも同様の内容（図８（ｂ）と同内容）が記憶される。そして、中継サーバ１，３は、この取得したアドレスに基づいて、ルーティング制御を行う（詳細な制御については後述）。なお、以下では、中継サーバ３のアドレスフィルタ情報に含まれるルーティング対象アドレス（対象端末３１，３２，３３のアドレス）を第１ルーティング対象アドレスと称し、中継サーバ１のアドレスフィルタ情報に含まれるルーティング対象アドレス（操作ＰＣ１１，１２のアドレス）を第２ルーティング対象アドレスと称することがある。
【００４５】
また、本実施形態では、中継サーバ１と操作ＰＣ１１，１２との間の通信では、対象端末３１，３２，３３の実際のアドレスを用いずに、仮想アドレスを用いて通信を行う。仮想アドレスは、ＬＡＮ１０内で重複しないアドレス（ＬＡＮ１０内の機器に割り当てられておらず、かつその予約もされていないアドレス）が予め登録されて、中継サーバ１の仮想アドレス登録情報記憶部５６に記憶されている。本実施形態では、図９に示すアドレスが仮想アドレスとして登録されている。
【００４６】
なお、本実施形態では、中継サーバ３と対象端末３１，３２，３３との間の通信では、操作ＰＣ１１，１２の実際のアドレスを用いて通信を行うが、中継サーバ１のように仮想アドレスを利用した通信を行う構成であっても良い。
【００４７】
中継サーバ１は、上記のようにアドレスフィルタ情報を交換して中継サーバ３から対象端末３１，３２，３３のアドレスを取得した後に、当該アドレスに仮想アドレスを割り当てる。中継サーバ１の仮想アドレス割当情報記憶部５７は、図８（ａ）に示すように、受信したアドレスと仮想アドレスとの対応関係（割当関係）を記憶する。
【００４８】
中継サーバ１の仮想アドレス期限情報記憶部５８は、図１０に示すように、仮想アドレス毎に設定された有効期限を記憶する。有効期限の設定は、仮想アドレスの割当毎に行っても良い。また、有効期限を途中で更新可能であっても良い。
【００４９】
次に、ＶＰＮを利用した通信を行うための準備について説明する。初めに、図１１を参照して中継サーバに予め行う設定について説明し、次に、図１２を参照してＶＰＮグループを作成するときの流れについて説明する。図１１は、予め中継サーバに行う設定を示すフローチャートである。図１２は、ＶＰＮグループを作成する処理を示すフローチャートである。以下では、中継サーバ１を例に挙げて、中継サーバに対して行う設定及び中継サーバ３が実行する処理について説明するが、中継サーバ１，２にも同様の設定が行われるとともに、同様の処理を実行可能である。
【００５０】
中継サーバ３に予め行う設定としては、当該中継サーバ３のアドレスフィルタ情報の登録（Ｓ１０１）がある。この登録は、中継通信システム１００を利用するユーザが、ルーティング対象装置として指定する機器等のアドレス（第１ルーティング対象アドレス）と、名称と、を所定の方法で入力することにより行う。ここでは、ユーザは、対象端末３１，３２，３３のアドレス及び名称を入力したものとする。ここで登録されたアドレスフィルタ情報は、アドレスフィルタ情報記憶部５５に記憶される。
【００５１】
次に、仮想アドレスを用いた通信を行う場合は、ユーザは、中継サーバ３が接続するＬＡＮ３０内で重複しないアドレスを仮想アドレスとして登録する（Ｓ１０２）。ここで登録された仮想アドレスは、仮想アドレス登録情報記憶部５６に記憶される。
【００５２】
以下、ＶＰＮグループを作成するときの流れについて説明する。ユーザは、初めに、クライアント端末１３，２２，３４等を操作することによって、ＶＰＮグループの設定画面を表示させることができる。ここでは、クライアント端末３４を用いて設定を行う場合について説明する。クライアント端末３４に表示させた設定画面には、当該クライアント端末３４が属する複数の中継グループが表示される。ユーザは、この複数の中継グループから、ＶＰＮグループを構築したい中継グループを選択する（Ｓ２０１）。
【００５３】
中継グループが選択されると、クライアント端末３４の画面には、選択した中継グループに属し、かつルーティングポイントとして機能可能な中継サーバ及びクライアント端末の識別情報の一覧が表示される（Ｓ２０２）。そして、ユーザは、構築するＶＰＮグループにおいてルーティングポイントとして機能させる中継サーバ及びクライアント端末を選択する（Ｓ２０３）。今回の説明では、中継サーバ１と、中継サーバ３と、がユーザに選択されたものとする。
【００５４】
そして、選択された中継サーバの識別情報に基づいて、ルーティングポイントの識別情報及び前記ルーティングセッション情報が作成される（Ｓ２０４）。そして、これらの情報にＶＰＮグループの識別情報等を付加することにより、図６で示したＶＰＮグループ情報が作成される。クライアント端末３４は、このＶＰＮグループ情報を、同じＶＰＮグループに所属する中継サーバ１，３へ送信する（Ｓ２０５）。そして、中継サーバ１，３は、受信したＶＰＮグループ情報をＶＰＮグループ情報記憶部５４に記憶する。以上により、ＶＰＮグループの構築処理が完了する。
【００５５】
次に、構築したＶＰＮグループでＶＰＮを利用した通信を開始するまでの流れについて、図１３及び図１４を参照して説明する。図１３及び図１４は、ＶＰＮを利用した通信を開始するまでに行う処理を示すフローチャートである。
【００５６】
ユーザは、クライアント端末１３等又は操作ＰＣ１１等を操作することによって、構築したＶＰＮグループを画面に表示させることができる。そして、表示されたＶＰＮグループから適当なＶＰＮグループを選択することにより（Ｓ３０１）、ＶＰＮを構築するための処理を行わせることができる。今回の説明では、上記で作成したＶＰＮグループ（中継サーバ１，３で構成されるＶＰＮグループ）の開始処理を中継サーバ３が行う例を説明する。
【００５７】
中継サーバ３は、初めに、自身に対応付けられたアドレスフィルタ情報を読み出す（Ｓ３０２）。ここで読み出される情報は、Ｓ１０１で登録された内容（図７（ｃ）に示す内容）である。次に、中継サーバ３は、選択されたＶＰＮグループに属するルーティングポイントの読出しを行う（Ｓ３０３）。これにより、図６に示すＶＰＮグループ情報の内容に基づいて、中継サーバ１が読み出される。
【００５８】
中継サーバ３は、中継サーバ情報に基づいて、初めに、中継サーバ１がログイン中か否か（「ｓｔａｔ」がａｃｔｉｖｅか空欄か）を判断する（Ｓ３０４）。図４に示す中継サーバ情報によれば中継サーバ１はログイン中であるため、中継サーバ３は、中継サーバ１へＶＰＮグループの識別情報とともに、ＶＰＮグループの開始コマンドを送信する（Ｓ３０５）。
【００５９】
中継サーバ３は、この開始コマンドに対する中継サーバ１からの応答を受けると（Ｓ３０６）、中継サーバ１を、ＶＰＮを構築する準備が完了したルーティングポイントとして登録する（Ｓ３０７）。
【００６０】
次に、中継サーバ３は、同じＶＰＮグループに所属する他の機器が有るか否かの判断を行う（Ｓ３０８）。現在作成中のＶＰＮグループは、中継サーバ１と中継サーバ３のみで構成されるため、他の機器は存在しない。なお、仮に他の機器が存在していた場合は、中継サーバ３は、今度は当該機器を対象としてＳ３０４〜Ｓ３０７の処理を行う。
【００６１】
次に、中継サーバ３は、ＶＰＮグループ情報記憶部５４の記憶内容からルーティングセッション情報を抽出する（図１４のＳ３０９）。そして、中継サーバ３は、抽出したルーティングセッション情報を参照して、自身が始点となるルーティングセッションが記述されているか否かを判断する（Ｓ３１０）。図６のルーティングセッション情報においては、中継サーバ１と中継サーバ３との間で確立されるべきルーティングセッションにおいて、自身（中継サーバ３）が始点となることが記述されている。
【００６２】
そのため、中継サーバ３は、中継サーバ１に対して所定の通信制御を行ってルーティングセッションを確立する（Ｓ３１１）。なお、この通信制御を行う際に、前述のように、アドレスフィルタ情報が交換される（Ｓ３１２）。これにより、中継サーバ３のアドレスフィルタ情報記憶部５５には、図８（ｂ）に示す内容が記憶される。また、中継サーバ１は、中継サーバ３から対象端末３１，３２，３３のアドレスを取得して、当該アドレスに仮想アドレスを割り当てる。これにより、中継サーバ１のアドレスフィルタ情報記憶部５５には、図８（ａ）に示す内容が記憶される。
【００６３】
次に、中継サーバ３は、対象端末３１，３２，３３のアドレスと仮想アドレスとの対応関係（割当関係）を中継サーバ１から取得する（Ｓ３１３）。なお、中継サーバ３が割当関係を中継サーバ１から取得する構成に代えて、中継サーバ３が当該割当関係を作成し、中継サーバ１に送信する構成であっても良い。この場合、中継サーバ１は、受信した割当関係に基づいて仮想アドレスを割り当てる。
【００６４】
次に、中継サーバ３は、再びＳ３１０の処理を行う。現在作成中のＶＰＮグループは、中継サーバ１と中継サーバ３のみで構成されるため、他のルーティングセッションはＶＰＮグループ情報には記述されていない。従って、中継サーバ３は、パケットのルーティング制御を開始する（Ｓ３１４）。なお、仮に他のルーティングセッションがある場合は、中継サーバ３は、再びＳ３１１〜Ｓ３１３の処理を行う。
【００６５】
このように、本実施形態では、ＶＰＮを構築する際に、それぞれのルーティング機器が他のルーティング機器とアドレスフィルタ情報を交換（取得）するため、最新のアドレスフィルタ情報を用いてＶＰＮを構築することができる。従って、ＶＰＮ開始前の段階で一部のルーティング機器においてアドレスフィルタ情報が変更された場合でも、その変更を全てのルーティング機器に反映させた状態でＶＰＮを構築して通信を開始できるので、パケットのルーティングにおける矛盾の発生を防止でき、信頼性を向上させることができる。
【００６６】
なお、それぞれのルーティング機器は、自身が始点である旨がルーティングセッション情報に記述されていない限りはルーティングセッション確立のための最初の通信制御を行わないので、通信制御の衝突を防止し、機器間のルーティングセッションを簡素な制御で確立することができる。
【００６７】
次に、確立したルーティングセッションを用いてパケットのルーティングを行う処理について説明する。以下では、中継サーバ１を例に挙げて、中継サーバ１が実行する処理について説明するが、中継サーバ２，３も同様の処理を実行可能である。
【００６８】
初めに、中継サーバ１がＬＡＮ１０からパケットを受信したときに行う制御について図１５を参照して説明する。図１５は、この制御の流れを示すフローチャートである。
【００６９】
中継サーバ１は、ＬＡＮ１０からパケットを受信するまで待機している（Ｓ４０１）。そして、ＬＡＮ１０からパケットを受信した場合、初めに、当該パケットの宛先が自身（中継サーバ１）であるか否かの判断を行う（Ｓ４０２）。
【００７０】
中継サーバ１は、パケットの宛先が自身であった場合、当該パケットの受信を行う（Ｓ４０３）。一方、パケットの宛先が自身以外であった場合、中継サーバ１は、受信したパケットの宛先アドレスと、アドレスフィルタ情報（図８（ａ）を参照）と、を比較して、宛先アドレスがアドレスフィルタ情報に登録されているか否かの判断を行う（Ｓ４０４）。中継サーバ１は、宛先アドレスがアドレスフィルタ情報に登録されていない場合、パケットを破棄する（Ｓ４０５）。一方、中継サーバ１は、宛先アドレスがアドレスフィルタ情報に登録されていた場合、当該アドレスフィルタ情報に対応するルーティングセッションを特定する（Ｓ４０６）。
【００７１】
次に、中継サーバ１は、仮想アドレス割当情報記憶部５７を参照して、宛先アドレスが仮想アドレスか否かの判断を行う（Ｓ４０７）。宛先アドレスが仮想アドレスである場合、中継サーバ１は、宛先アドレスを実際のアドレスに変換し（Ｓ４０８）、Ｓ４０６で特定したルーティングセッションへパケットを送信（転送）する（Ｓ４０９）。
【００７２】
次に、中継サーバ１がルーティングセッションからパケットを受信したときに行う制御について図１６を参照して説明する。図１６は、この制御の流れを示すフローチャートである。
【００７３】
中継サーバ１は、ルーティングセッションからパケットを受信するまで待機している（Ｓ５０１）。そして、中継サーバ１は、パケットを受信した場合、当該パケットの宛先アドレスと、アドレスフィルタ情報（図８（ａ）を参照）と、を比較して、パケットの宛先アドレスが自身のアドレスフィルタ情報に対応付けて登録されているか否かの判断を行う（Ｓ５０２）。
【００７４】
パケットの宛先アドレスが自身のアドレスフィルタ情報に対応付けて登録されている場合、中継サーバ１は、仮想アドレス割当情報記憶部５７を参照して、送信元アドレスに仮想アドレスが割り当てられているか否かの判断を行う（Ｓ５０３）。送信元アドレスに仮想アドレスが割り当てられている場合、中継サーバ１は、送信元アドレスを仮想アドレスに変換し（Ｓ５０４）、宛先アドレスが示す機器（操作ＰＣ１１，１２）へ、パケットを転送する（Ｓ５０５）。なお、送信元アドレスに仮想アドレスが割り当てられていない場合、中継サーバ１は、アドレスを変換することなく、宛先が示す機器へパケットを転送する（Ｓ５０５）。
【００７５】
また、中継サーバ１は、宛先アドレスが自身のアドレスフィルタ情報に対応付けて登録されていない場合、当該宛先アドレスが他のルーティング機器のアドレスフィルタ情報に対応付けて登録されているか否かの判断を行う（Ｓ５０６）。当該宛先アドレスが他のルーティング機器のアドレスフィルタ情報に対応付けて登録されている場合、中継サーバ１は、該当するルーティングセッションを特定し（Ｓ５０７）、このルーティングセッションへパケットを送信（転送）する（Ｓ５０８）。
【００７６】
一方、当該宛先アドレスが他のルーティング機器のアドレスフィルタ情報にも登録されていない場合、中継サーバ１は、当該パケットを破棄する（Ｓ５０９）。
【００７７】
以上の制御を行うことにより、仮想アドレスを利用して通信を行うことができる。
【００７８】
次に、上記の制御を行う中継サーバ１，３を介して、操作ＰＣ１２と対象端末３１とがパケットをやり取りするときの流れについて図１７を参照して説明する。
【００７９】
中継サーバ３は、対象端末３１へのアクセスを操作ＰＣ１２（又は操作ＰＣ１２を操作するユーザ）に許可する場合、図１７（ａ）に示すように、操作ＰＣ１２へ電子メールを送信する。この電子メールには、Ｓ３１３で中継サーバ３が中継サーバ１から取得した対象端末３１の仮想アドレスが記述される。なお、電子メールには、仮想アドレスをアクセス先のＩＰアドレスとして直接記述する他、ＵＲＬ形式等、適宜の形式で仮想アドレスを記述することができる。
【００８０】
操作ＰＣ１２を操作するユーザは、対象端末３１へのアクセスを希望する場合、図１７（ｂ）に示すように、受信した電子メールに基づいて、当該仮想アドレスを宛先アドレスとしたパケットを送信する。このパケットを受信した中継サーバ１は、図１５で示した制御を行う。即ち、中継サーバ１は、アドレスフィルタ情報（図８（ａ）を参照）に基づいて、パケットの宛先アドレスに対応するルーティング機器として中継サーバ３が記述されていることを認識してルーティングセッションを特定する（Ｓ４０６）。次に、中継サーバ１は、宛先アドレスが仮想アドレスであることを認識して、宛先アドレスを実際のアドレスに変換する（Ｓ４０８）。そして、中継サーバ１は、ルーティングセッションを介して中継サーバ３へパケットを送信（転送）する（Ｓ４０９）。
【００８１】
このパケットを受信した中継サーバ３は、アドレスフィルタ情報（図８（ｂ）を参照）に基づいて、パケットの宛先アドレスに対応するルーティング機器として自身（中継サーバ３）が記述されていることを認識する。そして、中継サーバ３は、宛先の対象端末３１へパケットを送信（転送）する。
【００８２】
次に、対象端末３１は、図１７（ｃ）に示すように、受信したパケットに応じた返信パケットを操作ＰＣ１２のアドレスを宛先アドレスとして中継サーバ３へ送信する。このパケットを受信した中継サーバ３は、パケットの宛先アドレスに対応するルーティング機器として中継サーバ１が記述されていることを認識する。そして、中継サーバ３は、ルーティングセッションを介して中継サーバ１へパケットを送信する処理を行う。
【００８３】
このパケットを受信した中継サーバ１は、図１６で示した制御を行う。即ち、中継サーバ１は、アドレスフィルタ情報（図８（ａ）を参照）に基づいて、パケットの宛先アドレスに対応するルーティング機器として自身（中継サーバ１）が記述されていることを認識する。そして、中継サーバ１は、仮想アドレス割当情報記憶部５７を参照して、送信元アドレスに仮想アドレスが割り当てられていることを認識する。そして、中継サーバ１は、送信元アドレスを仮想アドレスに変換して（Ｓ５０４）、宛先の操作ＰＣ１２へパケットを送信する（Ｓ５０５）。
【００８４】
以上により、対象端末３１の実際のアドレスを操作ＰＣ１２に知らせることなく、パケットのやり取りを行うことができる。これにより、セキュリティを向上させることができる。また、例えば対象端末３１の実際のアドレスを変更する必要が生じた場合においても、中継サーバ２が記憶する割当関係を更新するだけで良く、操作ＰＣ１１，１２の設定を変更する手間を省くことができる。
【００８５】
以上に説明したように、本実施形態の中継サーバ３は、アドレスフィルタ情報記憶部５５と、制御部６０と、を備える。アドレスフィルタ情報記憶部５５は、第１ルーティング対象アドレス（対象端末３１，３２，３３のアドレス）と、第２ルーティング対象アドレス（操作ＰＣ１１，１２のアドレス）と、を記憶する。制御部６０は、中継サーバ１とルーティング対象アドレスを交換し、ルーティングセッションを確立する。制御部６０は、仮想アドレスを電子メールで操作ＰＣ１１，１２へ送信する。制御部６０は、中継サーバ１とともに、仮想アドレスを利用して、対象端末３１，３２，３３と操作ＰＣ１１，１２との通信を中継する。
【００８６】
これにより、操作ＰＣ１１，１２を操作するユーザは、電子メールで送られてきた仮想アドレスを利用することで、対象端末３１，３２，３３へアクセスすることができる。従って、対象端末３１，３２，３３の実際のアドレスを操作ＰＣ１１，１２へ知らせることなく、通信を行うことができる。また、対象端末３１，３２，３３のアドレスを変更した場合であっても、中継サーバ１が記憶する仮想アドレスの割当関係を変更するだけで、通信を継続することができる。また、電子メールを用いるため、操作ＰＣ１１，１２のうち選択された方のみへ仮想アドレスを送信できる。
【００８７】
次に、上記実施形態の変形例を説明する。図１８は、変形例に係るユーザ毎に仮想アドレスを異ならせる構成を説明する図である。
【００８８】
上記実施形態では、中継サーバ１は、対象端末３１，３２，３３のアドレスにそれぞれ１つの仮想アドレスを割り当てる構成である。これに対し、本変形例では、中継サーバ１は、対象端末３１，３２，３３のアドレスにそれぞれ複数の仮想アドレスを割り当てる構成である。複数の仮想アドレスを割り当てる例としては、例えば電子メールの送信先のルーティング対象装置毎に異なる仮想アドレスを割り当てる構成、及び、ユーザのアカウント毎に異なる仮想アドレスを割り当てる構成を挙げることができる。以下では、代表して後者の構成を説明する。
【００８９】
図１８に示すように、本変形例では、対象端末３１，３２，３３のそれぞれに割り当てる仮想アドレスが、オペレータＡ１とオペレータＡ２とで異ならせる構成である。また、仮想アドレスの有効期限もオペレータ毎に異なる構成である。
【００９０】
また、各オペレータは、自身のアカウントと紐付けられた電子メールアドレスを有しているものとし、使用する操作ＰＣ１１，１２の何れを使用するかを問わず自身の電子メールアドレスに送信された電子メールを受信できるものとする。
【００９１】
これにより、ＬＡＮ１０側のユーザは、送信されたパケットの宛先アドレスに基づいて、どのオペレータが通信を行っているかを把握することができる。従って、ルーティング対象装置ではなくオペレータに対してアクセスを制限することができる。
【００９２】
以上に本発明の好適な実施の形態及び変形例を説明したが、上記の構成は例えば以下のように変更することができる。
【００９３】
ＩＰｖ４形式のＩＰアドレスに代えて、ＩＰｖ６形式のＩＰアドレスを用いることができる。この場合、仮想アドレスも同様にＩＰｖ６にしても良い。
【００９４】
仮想アドレスの割当てを行うタイミングは任意であり、例えば、開始コマンドの送信とともにアドレスフィルタ情報を交換し、その直後に仮想アドレスを割り当てても良い。
【００９５】
上記では、中継サーバのみがルーティングポイントとして機能する構成であるが、クライアント端末がルーティングポイントとして機能する構成であっても良い。また、ＶＰＮグループ内のルーティングポイントの数は２つに限られず、３つ以上であっても良い。また、１つのルーティング機器が複数のＶＰＮグループに所属していても良い。
【００９６】
上記の中継グループ情報、中継サーバ情報、クライアント端末情報、ＶＰＮグループ情報、アドレスフィルタ情報等を格納する形式はＸＭＬ形式に限定されず、適宜の形式で各情報を格納することができる。
【００９７】
上記の構成に代えて、各中継サーバ間での通信に用いられる外部サーバをインターネット上に設置し、ＳＩＰ（Ｓｅｓｓｉｏｎ  Ｉｎｉｔｉａｉｏｎ  Ｐｒｏｔｏｃｏｌ）サーバとしての機能を発揮させて通信を行う構成にしても良い。
【符号の説明】
【００９８】
１  中継サーバ（第２中継サーバ）
３  中継サーバ（第１中継サーバ）
１１，１２  操作ＰＣ（第２ルーティング対象装置）
３１，３２，３３  対象端末（第１ルーティング対象装置）
１０  ＬＡＮ（第２ＬＡＮ）
３０  ＬＡＮ（第１ＬＡＮ）
５４  ＶＰＮグループ情報記憶部
５５  アドレスフィルタ情報記憶部
５６  仮想アドレス登録情報記憶部
５７  仮想アドレス割当情報記憶部
６０  制御部
１００  中継通信システム
【図１】
2013141058.tif 000003
【図２】
2013141058.tif 000004
【図３】
2013141058.tif 000005
【図４】
2013141058.tif 000006
【図５】
2013141058.tif 000007
【図６】
2013141058.tif 000008
【図７】
2013141058.tif 000009
【図８】
2013141058.tif 000010
【図９】
2013141058.tif 000011
【図１０】
2013141058.tif 000012
【図１１】
2013141058.tif 000013
【図１２】
2013141058.tif 000014
【図１３】
2013141058.tif 000015
【図１４】
2013141058.tif 000016
【図１５】
2013141058.tif 000017
【図１６】
2013141058.tif 000018
【図１７】
2013141058.tif 000019
【図１８】
2013141058.tif 000020